(57)【要約】【課題】温風暖房機の使用時における異常過熱時の安全性と使い勝手の向上を図ることを目的とする。【解決手段】燃焼室３上部に第一の過熱防止用サーミスター１６を設け、燃焼室３上部後方でかつ空気吸い込み口４の近傍に第二の過熱防止用サーミスター１７をそれぞれ独立して設け、どちらか一方の過熱防止用サーミスター１６、１７が温度検知レベルを超えたとき燃焼を停止する構成としたものである。【選択図】図２
2006112646.tif 000002
【特許請求の範囲】
【請求項１】
バーナーと、前記バーナーからの燃焼ガスと機器背面の空気吸い込み口より取り込んだ室内空気を混合する燃焼室と、温風を送出するための対流用ファンと、温風を吹出す温風吹出し口と、空気吸い込み口部に対流用フィルターとで構成された温風暖房房装置において、その燃焼室上部に第一の過熱防止用サーミスターを設けるとともに、当該燃焼室上部後方でかつ空気吸い込み口の近傍に、第二の過熱防止用サーミスターをそれぞれ独立して設けたことを特徴とする温風暖房装置。
【請求項２】
温風暖房制御シーケンスにおいて、第一の過熱防止用サーミスターと、第ニの過熱防止用サーミスターにはそれぞれ独立して設定した温度検知レベルを設け、どちらか一方の過熱防止用サーミスターが温度検知レベルを超えたとき燃焼を停止するとともに、第二の過熱防止用サーミスターが温度検知レベルを超えたときは温度が低下しても再運転不可能としたことを特徴とする請求項１記載の温風暖房装置。
【請求項３】
温風暖房制御シーケンスにおいて、第二の過熱防止用サーミスターの温度検知レベルを超えて燃焼が停止した場合は、燃焼停止状態を記憶するとともに、制御基板上に設けた専用の記憶解除スイッチの操作で前記記憶状態を解除可能な構成とし、解除後は正規シーケンス運転可能に制御する制御手段を設けた請求項１または２記載の温風暖房装置。
【発明の詳細な説明】
【技術分野】
【０００１】
本発明は、温風を吹き出して室内を暖房する温風暖房機に関するものである。
【背景技術】
【０００２】
従来、この種の温風暖房機の過熱防止用の安全装置として、図８，図９に示すように、燃焼室上部の過熱防止用サーミスターと、燃焼室上部後方の温度ヒューズの２重構造によるものであった。また、その基本シーケンスは図１０で示す如く、過熱防止用サーミスターと過熱防止用温度ヒューズによる２重安全制御シーケンスが一般的であった（例えば、特許文献１参照）。
【特許文献１】特開平９−２１０４６８号公報
【発明の開示】
【発明が解決しようとする課題】
【０００３】
しかしながら前記従来の構成では、過熱防止用サーミスターの温度上昇検知速度より温度ヒーズの温度検知速度が遅いため、例えば、燃焼中のファンロック等の異常過熱時、温度ヒューズの溶断にて燃焼停止させるのに、時間がかかるという不具合があった。
【０００４】
また、一度、温度ヒューズが作動溶断すると、図１０のシーケンス図でも示す様に、サービス時、当該温度ヒューズを正規なもの（溶断していないもの）に付け替えて原因をしらべなければならないという、不具合があった。
【課題を解決するための手段】
【０００５】
前記従来の課題を解決するために、本発明の温風暖房機は、燃焼室上部に第一の過熱防止用サーミスターを設け、燃焼室上部後方でかつ空気吸い込み口の近傍に第二の過熱防止用サーミスターをそれぞれ独立して設け、どちらか一方の過熱防止用サーミスターが温度検知レベルを超えたとき燃焼を停止する構成としたものである。
【０００６】
本発明によれば、異常過熱状態を二重の過熱防止用サーミスターで検出し、かつ、温度検知レベルをそれぞれ独立して設定することで、過熱防止用サーミスターの取付位置に対応した適正な検出温度を設定することができるとともに、機器特有の異常過熱状態に対応した検出温度の設定が可能となり、機器の異常過熱時の安全性をより高めることができる。
【発明の効果】
【０００７】
本発明の温風暖房機は、異常過熱状態を二重構成で検出することが可能であるとともに、過熱防止用サーミスターの取付位置に対応した適正な検出温度を設定することができ、かつ、機器特有の異常過熱状態に対応した検出温度の設定が可能となり、機器の異常過熱時の安全性をより高めることができる。
【発明を実施するための最良の形態】
【０００８】
第１の発明は、バーナーと、前記バーナーからの燃焼ガスと機器背面の空気吸い込み口より取り込んだ室内空気を混合する燃焼室と、温風を送出するための対流用ファンと、温風を吹出す温風吹出し口と、空気吸い込み口部に対流用フィルターとで構成された温風暖房房装置において、その燃焼室上部に第一の過熱防止用サーミスターを設けるとともに、当該燃焼室上部後方でかつ空気吸い込み口の近傍に、第二の過熱防止用サーミスターをそれぞれ独立して設けたことを特徴とするものである。
【０００９】
本発明によれば、異常過熱状態を二重の過熱防止用サーミスターで検出し、かつ、温度検知レベルをそれぞれ独立して設定することで、過熱防止用サーミスターの取付位置に対応した適正な検出温度を設定することができるとともに、機器特有の異常過熱状態に対応した検出温度の設定が可能となり、機器の異常過熱時の安全性をより高めることができる。
【００１０】
第２の発明は、第１の発明における温風暖房機において、温風暖房制御シーケンスとして、第一の過熱防止用サーミスターと、第ニの過熱防止用サーミスターにはそれぞれ独立して設定した温度検知レベルを設け、どちらか一方の過熱防止用サーミスターが温度検知レベルを超えたとき燃焼を停止するとともに、第二の過熱防止用サーミスターが温度検知レベルを超えたときは温度が低下しても再運転不可能としたことを特徴とするものである。
【００１１】
本発明によれば、過熱防止用サーミスターの取付位置に対応した適正な検出温度で異常過熱状態を検出することが可能になるとともに、機器特有の異常過熱状態に対応した迅速な検出が可能となり、さらに、特定の過熱防止用サーミスターが異常過熱状態を検出した時は再運転不可能とすることで、使い勝手と安全性を両立させた温風暖房機を提供することができる。
【００１２】
第３の発明は、第１または第２の発明における温風暖房機において、温風暖房制御シーケンスとして、第二の過熱防止用サーミスターの温度検知レベルを超えて燃焼が停止した場合は、燃焼停止状態を記憶するとともに、制御基板上に設けた専用の記憶解除スイッチの操作で前記記憶状態を解除可能な構成とし、解除後は正規シーケンス運転可能に制御する制御手段を設けたことを特徴とするものである。
【００１３】
本発明によれば、特定の過熱防止用サーミスターにより燃焼が停止した場合は、原因を究明した後、所定のスイッチ操作で再運転可能な構成としているため、異常事態の解除を確実に行うことができ、かつ、使い勝手の向上が図れるものである。
【００１４】
以下、本発明の実施の形態について、図面を参照しながら説明する。なお、本実施の形態によって本発明が限定されるものではない。
【００１５】
（実施の形態１）
以下、本発明の実施の形態１について図面に基づき説明する。
【００１６】
図１は、本発明の実施の形態１における温風暖房機の正面断面図、図２は、同温風暖房機の側面断面図である。
【００１７】
図において、温風暖房機本体１には、燃料ガスを燃やすためのバーナー２を有する燃焼室３が設けられ、燃焼室３は温風暖房機本体１の後部の空気吸い込み口４と連通している。また、燃焼室３下部にはモーター５の駆動で回転する対流用ファン６がもうけられ、対流用ファン６の吐出側で温風暖房機本体１の全面下部に位置する温風吹出し口７と連通している。
【００１８】
温風暖房機本体１内には、バーナー２で燃焼させる燃焼ガスの開閉を制御する電磁弁８、燃焼ガス量を制御する比例弁９が設けられ、ガス配管１０先端のノズル１１より、バーナー２で燃焼する燃焼ガスが供給される。燃焼ガスが供給され、点火プラグ１２で点火され燃焼すると、モーター５で駆動する対流用ファン６により、温風暖房機本体１後部の空気吸い込み口４から燃焼室３内に室内空気が吸い込まれる。燃焼室３内で燃焼した燃焼ガスと空気吸い込み口４から吸い込まれた室内空気が混合され、温風暖房機本体１の全面下部の温風吹き出し口７より、温風１３となって、室内に供給される。
【００１９】
上記構成において、温風暖房機本体１の上部に位置する運転スイッチ１４のＯＮ・ＯＦＦ操作により運転が行われ、温風暖房機本体１内には、運転スイッチ１４を配置する操作制御基板１５ｂ、及び電磁弁８のＯＮ・ＯＦＦ，比例弁９の開弁度，点火プラグ１２の放電、モーター５の回転数などを制御するメイン制御基板１５ａが設けられている。
【００２０】
一方、燃焼室３の上部には、第一の過熱防止用サーミスター１６が設けられ、燃焼室３後部で、温風暖房機本体１の空気吸い込み口４近傍には、第二の過熱防止用サーミスター１７が設けられている。
【００２１】
上記の如く配設された過熱防止用サーミスター１６、１７により、運転中に空気吸い込み口４がガーゼ等で閉塞されると、燃焼室３上部に設けられた第一の過熱防止用サーミスー１６の温度が図３に示すように上昇し、ある定められた温度検知レベル、例えば第一の作動定数温度値１８以上になると、電磁弁８を閉弁させる。その際、第二の過熱防止用サーミスター１７は、燃焼室３の後方に位置し、かつ空気吸込み口４近傍に位置しているため、図３で示す通り、第一の過熱防止用サーミスター１６の温度上昇特性よりその温度上昇特性は緩やかであるため、第一の過熱防止用サーミスター１６とは独立した第二の作動定数温度値１９以上にはならない。
【００２２】
従って、図６のフローチャートに示す如く、空気吸い込み口４の閉塞の原因が解除され、第一の過熱防止用サーミスター１６の温度が、ある定められた第一の作動定数温度値１８以下になると、再運転使用可能となる。
【００２３】
ここで重要な点は、第二の過熱防止サーミスター１７の作動定数温度値１９の設定条件であり、この値は、第一の過熱防止用サーミスター１６が空気吸い込み口４が閉塞等されて、その温度が第一の作動定数温度値１８近くまで上昇している状態で、燃焼使用されている時、コンセント引き抜きや停電による急激な機器燃焼停止（対流用ファン６の回転も停止）の際、燃焼室３内の熱気によるオーバーシュートで、図４で示す如く、第二の過熱防止用サーミスター１７の雰囲気温度も急激に上昇し、その結果、第二の作動定数温度値１９以上になり、結果として機器が作動しなくなることを無くすため、この様な条件でのオーバーシュート温度に対する余裕度を持った第二の作動定数温度値１９を設定することである。
【００２４】
また、燃焼中、何らかの原因で駆動用のモーター５が停止すると、対流用ファン６の
回転が停止する。この場合は、燃焼室３で燃焼した高温の燃焼ガスは、燃焼室３後方の風路から、一気に空気吸い込み口４へあふれ出す。従って、この近傍に設けられた第二の過熱防止用サーミスター１７の雰囲気温度は急激に上昇し、第二のある定められた作動定数温度値１９をＴ１秒後に超え、オーバーシュート後のＴ２秒後、すばやく電磁弁８を閉弁させ、燃焼を停止させることができる。
【００２５】
この場合、図７で示す如く、本発明の第二の過熱防止用サーミスター１７ではなく、従来の温度ヒューズ２２の場合は、その溶断作動温度に対し、時間的な遅れがあるため、雰囲気温度が温度ヒーズの溶断温度Ｔ０（＝Ｔ１）以上になっても、溶断に時間的遅れＴ３が生じ、オーバーシュート時間も長くなるという欠点があった。
【００２６】
従って、図５で示す如く、燃焼中、何らかの原因でファンロックが生じた場合、本発明の第二の過熱防止用サーミスター１７による構成の場合は、従来の温度ヒューズ２２で構成する場合より、（Ｔ３−Ｔ２）秒だけ、より早く燃焼を停止できる効果が得られる。
【００２７】
次に、図５で示す如く、第二の過熱防止用サーミスター１７が、ファンロック等の異状を検知し、ある定められた作動定数温度値１９の値を越えて、Ｔ２秒後に燃焼が停止し、その後その雰囲気温度が低下し、Ｔ４秒後に上記定められた作動定数温度値１９以下になったとしても、第二の過熱防止用サーミスター１７がある定められた作動定数温度値１９以上の温度になったことを、制御基板１５ａ上のマイコン２０に記憶させておき、こうした場合は、運転スイツチ１４でのＯＮ・ＯＦＦ操作で、燃焼を再開できない様にしたものである。上記動作を図６のフローチャートで示す。
【００２８】
また、図１で示す如く、制御基板１５ａ上に、第二の過熱防止用スイッチ１７の温度異状による燃焼停止の記憶を解除するための、記憶解除スイッチ２１を設け、点検等の時、この記憶解除スイツチ２１を押せば、第二の過熱防止用サーミスター１７の異状温度上昇検知による燃焼停止モードを解除できるものである。この解除動作は図７のフローチャートで示す。
【００２９】
従って、第二の作動定数温度値以上を記憶し、再運転時には従来の温度ヒューズ２２の溶断時と同様、燃焼使用不可能となっても、制御基板１５上の記憶解除スイッチ１４を操作することなより、原因の除去後には、容易に再使用可能にしてくれる効果がある。
【産業上の利用可能性】
【００３０】
以上のように、本発明の温風暖房機は、異常過熱状態を二重構成で検出することが可能であるとともに、過熱防止用サーミスターの取付位置に対応した適正な検出温度を設定することができ、かつ、機器特有の異常過熱状態に対応した検出温度の設定が可能となり、機器の異常過熱時の安全性をより高めることができるため、ファンで室内空気を空気を吸い込み温風として吹き出すような構成の機器全般に適用することができる。
【図面の簡単な説明】
【００３１】
【図１】本発明の実施の形態１における温風暖房機の正面断面図
【図２】同温風暖房機の側面断面図
【図３】同温風暖房機の過熱防止用サーミスターの温度上昇特性の関係を示す図
【図４】同温風暖房機の過熱防止用サーミスターの温度上昇特性の関係を示す図
【図５】過熱防止用サーミスターと温度ヒューズの温度上昇特性の比較を示す図
【図６】同温風暖房機の動作を示すフローチャート
【図７】同温風暖房機の他の動作を示すフローチャート
【図８】従来の温風暖房機の正面断面図
【図９】従来の温風暖房機の側面断面図
【図１０】従来の温風暖房機の動作を示すフローチャート
【符号の説明】
【００３２】
２  バーナー
３  燃焼室
４  空気吸い込み口
６  対流用ファン
７  温風吹出し口
１６  第一の過熱防止用サーミスター
１７  第二の過熱防止用サーミスター
【図１】
2006112646.tif 000003
【図２】
2006112646.tif 000004
【図３】
2006112646.tif 000005
【図４】
2006112646.tif 000006
【図５】
2006112646.tif 000007
【図６】
2006112646.tif 000008
【図７】
2006112646.tif 000009
【図８】
2006112646.tif 000010
【図９】
2006112646.tif 000011
【図１０】
2006112646.tif 000012